(57)【特許請求の範囲】
【請求項１】
流体を注入可能な弾性袋体を寝具類の載置パッドに重合して配置し、該弾性袋体上に使用者の部位を接触して弾性袋体を押圧かつ拡張可能に設け、前記弾性袋体に接触する使用者の部位を高さ調整可能にした寝具類の高さ調整具において、前記弾性袋体の内部を互いに連通可能な二つの中空室に区画し、該二つの中空室に流体またはゲルを移動可能に調量して注入し、前記一方の中空室を単一の室に形成し、他方の中空室を互いに連通可能な一または複数の室に区画し、前記二つの中空室上に使用者の異なる部位を接触し、かつこれらの中空室を押圧可能に設け、前記一方の中空室の押圧を介し内部の流体またはゲルを他方の中空室に移動し、該他方の中空室の高さを高位置に調整可能にしたことを特徴とする寝具類の高さ調整具。
【請求項２】
前記弾性袋体を載置パッドの直下に重合して配置し、前記一方の中空室を前記載置パッドから突出して配置し、該突出した中空室の一部に使用者の部位を接触し、かつ該中空室を押圧可能に設け、前記一方の中空室内部の流体またはゲルを他方の中空室に移動可能に設けた請求項１記載の寝具類の高さ調整具。
【請求項３】
前記流体またはゲルを二つの中空室の拡張時容積の２０〜８０％に注入した請求項１記載の寝具類の高さ調整具。
【請求項４】
前記他方の中空室の一側を側方へ突出し、該突出部上に使用者の部位を載置可能にした請求項１記載の寝具類の高さ調整具。  
【請求項５】
二つの弾性袋体を離間して配置し、それらの他方の中空室上に亘って載置パッドを重合配置し、かつそれらの一方の中空室を前記載置パッドから突出して配置した請求項２記載の寝具類の高さ調整具。
【請求項６】
前記二つの弾性袋体の間の載置パッド上に使用者の頭部を載置し、前記一方の中空室の突出部の直上に使用者の肩部を載置可能にした請求項５記載の寝具類の高さ調整具。
【請求項７】
前記二つの弾性袋体を離間して配置し、これらの弾性袋体をシート状のシール部で一体的に接続した請求項５または６記載の寝具類の高さ調整具。
【請求項８】
前記二つの弾性袋体を離間して配置し、これらの間に流体またはゲルを注入可能な中空室を配置し、該中空室を介し前記二つの弾性袋体を一体的に接続した請求項１記載の寝具類の高さ調整具。
【請求項９】
複数の弾性袋体を積層して構成し、各層の弾性袋体内の流体またはゲルを二つの中空室に相互に移動可能にした請求項１記載の寝具類の高さ調整具。
【請求項１０】
一または複数の弾性袋体を収納可能な一または複数のポケットを有するカバ−を設け、該カバ−の内部に前記載置パッドを収納可能に設け、該載置パッドと前記弾性袋体の一部を重合して配置した請求項１記載の寝具類の高さ調整具。
【請求項１１】
前記カバ−の内部に前記載置パッドを収納するとともに、前記カバ−に設けた複数のポケットに弾性袋体を収納し、該弾性袋体の一部を前記載置パッドの直下に重合して配置し、該載置パッドから突出した弾性袋体の端部を前記カバーの内部に配置した請求項１０記載の寝具類の高さ調整具。
【請求項１２】
前記寝具類は、枕または敷布団、クッション若しくは座布団である請求項１記載の寝具類の高さ調整具。
【請求項１３】
流体を注入した弾性袋体を載置パッドに重合して配置し、前記弾性袋体上に使用者の部位を接触して弾性袋体を押圧かつ拡張可能に設け、弾性袋体に接触する使用者の部位を高さ調整可能にした高さ調整具を備えた寝具類において、前記弾性袋体の内部を互いに連通可能な二つの中空室に区画し、該二つの中空室に流体またはゲルを移動可能に調量して注入し、前記一方の中空室を単一の室に形成し、他方の中空室を互いに連通可能な一または複数の室に区画し、前記二つの中空室上に使用者の異なる部位を接触し、かつこれらの中空室を押圧可能に設け、前記一方の中空室の押圧を介し内部の流体またはゲルを他方の中空室に移動し、該他方の中空室の高さを高位置に調整可能に設け、前記弾性袋体の一または複数をカバ−の内部に配置したことを特徴とする高さ調整具を備えた寝具類。
【請求項１４】
前記弾性袋体の直上に載置パッドを重合して配置し、前記一方の中空室を前記載置パッドから突出して配置し、該突出した中空室の一部に使用者の部位を接触し、かつ該中空室を押圧可能に設け、前記一方の中空室内部の流体またはゲルを他方の中空室に移動可能に設けた請求項１３記載の高さ調整具を備えた寝具類。
【請求項１５】
前記流体またはゲルを前記二つの中空室の拡張時容積の２０〜８０％に注入した請求項１３記載の高さ調整具を備えた寝具類。
【請求項１６】
二つの弾性袋体を離間して配置し、それらの他方の中空室上に亘って載置パッドを重合配置し、かつそれらの一方の中空室を前記載置パッドから突出して配置した請求項１３記載の高さ調整具を備えた寝具類。
【請求項１７】
前記二つの弾性袋体の間の載置パッド上に使用者の頭部を載置し、前記一方の中空室の突出部の直上に使用者の肩部を載置可能にした請求項１６記載の高さ調整具を備えた寝具類。
【請求項１８】
前記カバ−に一または複数の弾性袋体を収納可能な一または複数のポケットを設けるとともに、前記カバ−の内部に載置パッドを収納可能に設け、該載置パッドと前記弾性袋体の一部を重合して配置した請求項１３記載の高さ調整具を備えた寝具類。
【請求項１９】
前記カバ−上に一または複数の弾性袋体に亘って載置パッドを配置した請求項１３記載の高さ調整具を備えた寝具類。
【請求項２０】
前記カバ−の内部に、載置パッドから突出した弾性袋体の端部を配置した請求項１３記載の高さ調整具を備えた寝具類。
【請求項２１】
横向き寝姿勢時の載置パッドの高さを、仰向け寝姿勢時の載置パッドの高さよりも高く調整可能にした請求項１３記載の高さ調整具を備えた寝具類。
【請求項２２】
前記寝具類は、枕または敷布団、クッション若しくは座布団である請求項１３記載の高さ調整具を備えた寝具類。
【発明の詳細な説明】
【技術分野】
【０００１】
本発明は、枕や敷布団、クッション若しくは座布団、等の寝具類の使用に好適で、構成が簡単で小形軽量化を図れ、容易かつ安価に製作できるとともに、寝姿勢に応じて寝具の高さを最適に調整でき、快適な睡眠を得られるとともに、肩部を圧迫することなく自然な寝返りを行なえる、寝具類の高さ調整具および高さ調整具を備えた寝具類に関する。
【背景技術】
【０００２】
例えば枕によって快適な睡眠を得るためには、頸部を支持して休息させる必要があり、頸部の休息手段である枕には、就眠中、頸部を安定して支持する機能が要請される。
ところで、人は就眠中、幾度となく寝返りして寝姿勢を変えるが、そのような寝姿勢においても、寝姿勢に応じて枕の高さを変える必要がある。
【０００３】
このような要請の下で寝姿勢に応じて頭部ないし頸部の高さを調整し、快適な睡眠を得られるようにした枕が種々提案されている。
例えば、流体を注入自在な枕とマットを設け、前記枕をチュ−ブを介して流体を給排可能なポンプ手段に接続し、前記マットを上半身の真下に敷設し、該マットをチュ−ブを介して圧力センサユニットに接続し、該圧力センサユニットの圧力検出信号に応じて流体を枕に給排し、寝姿勢によって身体から受けるマットの圧力によって、仰向け寝の場合は枕の高さを低めにし、横向き寝の場合は枕の高さを高めに調整するようにした枕装置がある（例えば、特許文献１参照）。
【０００４】
しかし、前記枕装置は、枕とマットを離間して配置するため、大嵩かつ広い設置スペ−スを要する上に、圧力センサユニットやポンプ手段、該ポンプ手段の作動を制御する制御手段を要して、構成が複雑で高価になる等の問題があった。
【０００５】
そこで、前記問題を解決するものとして、内部にウレタンフォ−ム等の弾性体を収容した左右一対の袋体からなる第１および第２空気袋を設け、これらの空気袋を上下に重合して枕上に配置するとともに、各空気袋にチュ−ブを接続し、該チュ−ブの先端部に弁体を開閉可能に設け、該弁体を開閉して空気を適宜注入または排出して袋体を膨張または縮小させ、仰向け寝や横向き寝の姿勢に応じて、第１および第２空気袋の高さや硬さを調整するようにしたクッション体がある（例えば、特許文献２参照）。
【０００６】
しかし、前記第１および第２空気袋は、それぞれにチュ−ブと弁体を接続し、弁体を個々に開閉操作して高さ調整するため、構成が複雑な上に高さ調整操作が煩雑になり、また第１および第２空気袋を枕上に重ねて使用するため、枕の高さが実質的に高くなり、不安定な睡眠を強いられるとともに、就眠中は寝姿勢に応じて高さ調整できない、という問題があった。
【０００７】
また、前記問題を解決する別のものとして、ウレタンフォ−ム製の枕の内部に空気袋を拡張および収縮可能に設け、該枕上部の頭載せ部の高さを可変にするとともに、空気袋の内部に折畳み可能なリンク機構からなる付勢手段を設け、空気袋を拡張方向に付勢するとともに、前記空気袋への空気の出入りを制御する逆止弁と、頭載せ部の前側の頸支持部の沈下量が所定値以上になった際、前記逆止弁を強制的に開弁するリンク機構からなる開弁機構とを備え、仰向け寝の場合は逆止弁を開弁し、かつ付勢手段を折り畳んで空気袋を収縮し、枕の高さを低めにするとともに、横向き寝の場合は、逆止弁の閉弁状態を維持し付勢手段を伸張して、空気袋を拡張し枕の高さを高めに調整するようにした枕がある（例えば、特許文献３参照）。
【０００８】
しかし、前記枕は内部に大きな空気袋を要し、その空気袋の内部に、リンク機構からなる付勢手段や逆止弁、逆止弁の制御機構である開弁機構、等を収容しているため、構造が複雑で部品点数が多く、製作に手間が掛かって高価になるとともに、重量が嵩んで使用し辛い等の問題があった。
【０００９】
更に、前記問題を解決する別のものとして、互いに連通する複数の区画室を設けた高さ調節部と、該調節部の両側に逆止弁を介して配置した流体量調整部と、該流体量調整部の間に前記高さ調節部を凹状に配置し、該高さ調節部上に詰物を充填した頭部支持部と頸部支持部とを前後に隣接して配置し、前記一方の流体量調整部に配管を介し流体給入装置を接続して空気を供給可能にし、使用時に所定量の空気を流体量調整部に供給し、高さ調節部の頭部支持部に頸部を載せ、頸部支持部に頭部を載せて頸部と頭部を支持し、仰向け寝の場合は高さ調節部を押し縮め、当該部の空気を流体量調整部へ移動して頭部の高さを低めに設定し、横向き寝の場合は上半身を肩で支持するため、頭部の高さが高くなり高さ調節部の押圧力が低下して、流体量調整部の空気が高さ調節部へ移動し高さ調節部が拡張して、頭部の高さを高く調整するようにした枕がある（例えば、特許文献４参照）。
【００１０】
しかし、前記枕は逆止弁やその配管を要して構造が複雑になり、しかも流体量調整部が高さ調節部よりも高いため、仰向け寝から横向き寝に移行する際、狭い高さ調節部上での寝返り動作は窮屈で難しく、その際高さ調節部がゆっくり高さを回復するため、寝返り動作に間に合わず、顔面が流体量調整部に接触する不快感を生じて安眠を妨げ、快適な睡眠を得られないという問題があった。
【００１１】
一方、横向き寝対応の枕として、両側部を山状に盛り上げ、中央部を凹状に湾曲形成したものがある（例えば、特許文献５参照）。
しかし、この枕は比較的硬く成形されているため、仰向け寝から首を横向きに倒し辛く、寝返りし辛い上に寝返りに必要以上に大きな労力を要し、かつその際首に大きな負担が掛かって、快適な睡眠を得られないという問題があった。
【先行技術文献】
【特許文献】
【００１２】
【特許文献１】特開平１０−１１３２６９号公報
【特許文献２】実用新案登録第３１６０８０４号公報
【特許文献３】特許第３６９９４７２号公報
【特許文献４】特許第４６３２３４３号公報
【特許文献５】意匠登録第１３５８８４８号公報
【発明の開示】
【発明が解決しようとする課題】
【００１３】
本発明はこのような問題を解決し、枕や敷布団、クッション若しくは座布団、等の寝具類の使用に好適で、構成が簡単で小形軽量化を図れ、容易かつ安価に製作できるとともに、寝姿勢に応じて寝具の高さを最適に調整でき、快適な睡眠を得られるとともに、肩部を圧迫することなく自然な寝返りを行なえる、寝具類の高さ調整具および高さ調整具を備えた寝具類を提供することを目的とする。
【課題を解決するための手段】
【００１４】
請求項１の発明は、流体を注入可能な弾性袋体を寝具類の載置パッドに重合して配置し、該弾性袋体上に使用者の部位を接触して弾性袋体を押圧かつ拡張可能に設け、前記弾性袋体に接触する使用者の部位を高さ調整可能にした寝具類の高さ調整具において、前記弾性袋体の内部を互いに連通可能な二つの中空室に区画し、該二つの中空室に流体またはゲルを移動可能に調量して注入し、前記一方の中空室を単一の室に形成し、他方の中空室を互いに連通可能な一または複数の室に区画し、前記二つの中空室上に使用者の異なる部位を接触し、かつこれらの中空室を押圧可能に設け、前記一方の中空室の押圧を介し内部の流体またはゲルを他方の中空室に移動し、該他方の中空室の高さを高位置に調整可能にし、二つの中空室に流体またはゲルが速やかに移動し得る程度に注入し、一方の中空室を使用者が押圧した際、内部の流体またはゲルを他方の中空室に移動し、該他方の中空室の高さを高位置に調整可能にし、従来のものに比べて構成が簡単で小形軽量化を図れ、容易かつ安価に製作できるとともに、流体またはゲルを他方の中空室に緩やかに移動し、載置パッド上の使用者の部位の高さを緩やかに調整し得るようにしている。
【００１５】
請求項２の発明は、弾性袋体を載置パッドの直下に重合して配置し、前記一方の中空室を前記載置パッドから突出して配置し、該突出した中空室の一部に使用者の部位を接触し、かつ該中空室を押圧可能に設け、前記一方の中空室内部の流体またはゲルを他方の中空室に移動可能に設け、一方の中空室を前記載置パッドから突出して配置することによって、使用者の肩部等の特定部位の接触を促し、前記中空室ないし使用者の部位の高さ調整を容易に行なえるようにしている。
請求項３の発明は、流体またはゲルを二つの中空室の拡張時容積の２０〜８０％に注入し、中空室の押圧時に内部の流体またはゲルの確実かつ速やかな移動を促すようにしている。
請求項４の発明は、他方の中空室の一側を側方へ突出し、該突出部上に使用者の部位を載置可能にし、例えば仰向け寝時に前記突出部上に使用者の頭部の一部を載置し、仰向け寝から横向け寝に寝返りする際、頭部を円滑に移動し、寝返り時の負担を軽減するようにしている。  
【００１６】
請求項５の発明は、二つの弾性袋体を離間して配置し、それらの他方の中空室上に亘って載置パッドを重合配置し、かつそれらの一方の中空室を前記載置パッドから突出して配置し、二つの弾性袋体を離間して配置することによって、使用者による二つの中空室の押圧とその内部の流体またはゲルの移動に対応させ、使用者の種々の寝姿勢に対応させている。  
請求項６の発明は、二つの弾性袋体の間の載置パッド上に使用者の頭部を載置し、前記一方の中空室の突出部の直上に使用者の肩部を載置可能にし、二つの弾性袋体上での使用者の寝姿勢に対応させている。
請求項７の発明は、二つの弾性袋体を離間して配置し、これらの弾性袋体をシート状のシ−ル部で一体的に接続し、二つの弾性袋体をシ−ル部によって一体的に接続し、弾性袋体を分離構成したものに比べて部品点数を低減し、これを簡便に使用し得るようにしている。
請求項８の発明は、二つの弾性袋体を離間して配置し、これらの間に流体またはゲルを注入可能な中空室を配置し、該中空室を介し前記二つの弾性袋体を一体的に接続し、二つの弾性袋体を中間位置の中空室によって一体的に接続し、弾性袋体を分離構成したものに比べて部品点数を低減し、これを簡便に使用し得るとともに、前記中空室に載置パッドの機能を付与し、または載置パッドの機能を補完させるようにしている。
【００１７】
請求項９の発明は、複数の弾性袋体を積層して構成し、各層の弾性袋体内の流体またはゲルを二つの中空室に相互に移動可能にし、一方の中空室を押圧することによって、他方の中空室の変位を増倍して形成でき、僅かな押圧変位を合理的に拡大し、載置パッドの高さ調整を合理的に行なうようにしている。
請求項１０の発明は、一または複数の弾性袋体を収納可能な一または複数のポケットを有するカバ−を設け、該カバーの内部に前記載置パッドを収納可能に設け、該載置パッドと前記弾性袋体の一部を重合して配置し、カバーの内部に載置パッドと弾性袋体を合理的に配置し、それらの高さ位置を合理的に形成し得るようにしている。
請求項１１の発明は、カバーの内部に前記載置パッドを収納するとともに、前記カバーに設けた複数のポケットに弾性袋体を収納し、該弾性袋体の一部を前記載置パッドの直下に重合して配置し、該載置パッドから突出した弾性袋体の端部を前記カバーの内部に配置し、弾性袋体の端部を保護するようにしている。
請求項１２の発明は、前記寝具類は、枕または敷布団、クッション若しくは座布団であり、多様な寝具類に適用可能にしている。
【００１８】
請求項１３の発明は、流体を注入した弾性袋体を載置パッドに重合して配置し、前記弾性袋体上に使用者の部位を接触して弾性袋体を押圧かつ拡張可能に設け、弾性袋体に接触する使用者の部位を高さ調整可能にした寝具類において、前記弾性袋体の内部を互いに連通可能な二つの中空室に区画し、該二つの中空室に流体またはゲルを移動可能に調量して注入し、前記一方の中空室を単一の室に形成し、他方の中空室を互いに連通可能な一または複数の室に区画し、前記二つの中空室上に使用者の異なる部位を接触し、かつこれらの中空室を押圧可能に設け、前記一方の中空室の押圧を介し内部の流体またはゲルを他方の中空室に移動し、該他方の中空室の高さを高位置に調整可能に設け、前記弾性袋体の一または複数をカバ−の内部に配置し、二つの中空室に流体またはゲルが速やかに移動し得る程度に注入し、一方の中空室を使用者が押圧した際、内部の流体またはゲルを他方の中空室に移動し、該他方の中空室の高さを高位置に調整可能にし、従来のように逆止弁や弁およびそれらの制御機構を要するものに比べて、構成が簡単で小形軽量化を図れ、容易かつ安価に製作できるとともに、使用者の部位を載置する載置パッドの高さを寝姿勢に応じて最適かつ自然に調整でき、快適な睡眠を得られるようにしている。
【００１９】
請求項１４の発明は、弾性袋体の直上に載置パッドを重合して配置し、前記一方の中空室を前記載置パッドから突出して配置し、該突出した中空室の一部に使用者の部位を接触し、かつ該中空室を押圧可能に設け、前記一方の中空室内部の流体またはゲルを他方の中空室に移動可能に設け、一方の中空室を前記載置パッドから突出して配置することによって、使用者の肩部等の特定部位の接触を促し、前記中空室の高さ調整を容易に行なえ、載置パッドの高さを寝姿勢に応じて最適かつ自然に調整でき、快適な睡眠を得られるようにしている。
請求項１５の発明は、前記流体またはゲルを前記二つの中空室の拡張時容積の２０〜８０％に注入し、中空室の押圧時に内部の流体またはゲルの確実かつ速やかな移動を促し、載置パッドの高さ調整を能率良く行なうようにしている。
請求項１６の発明は、二つの弾性袋体を離間して配置し、それらの他方の中空室上に亘って載置パッドを重合配置し、かつそれらの一方の中空室を前記載置パッドから突出して配置し、二つの弾性袋体を離間して配置することによって、使用者による二つの中空室の押圧とその内部の流体またはゲルの移動に対応させ、二つの弾性袋体上での使用者の寝姿勢に対応させている。
請求項１７の発明は、二つの弾性袋体の間の載置パッド上に使用者の頭部を載置し、前記一方の中空室の突出部の直上に使用者の肩部を載置可能にし、二つの弾性袋体上での使用者の寝姿勢に対応させている。
【００２０】
請求項１８の発明は、前記カバ−に一または複数の弾性袋体を収納可能な一または複数のポケットを設けるとともに、前記カバ−の内部に載置パッドを収納可能に設け、該載置パッドと前記弾性袋体の一部を重合して配置し、前記カバ−の内部に弾性袋体と載置パッドを収納し、これらを一体的に組み込んで、これを簡便に使用し得るから、例えば枕カバ−と枕の使用に好適である。
請求項１９の発明は、前記カバ−上に一または複数の弾性袋体に亘って載置パッドを配置し、弾性袋体の上下位置変位に載置パッドを同動させ、載置パッド上の使用者の特定部位の高さを調整し得るから、例えば敷布団の使用に好適である。
請求項２０の発明は、前記カバ−の内部に、載置パッドから突出した弾性袋体の端部を配置し、弾性袋体の端部を保護するようにしている。
請求項２１の発明は、横向き寝姿勢時の載置パッドの高さを、仰向け寝姿勢時の載置パッドの高さよりも高く調整可能にし、横向き寝姿勢時に頭部側を載置パッドで支持するようにして肩部の負担を軽減し、肩部の圧迫を回避して快適な睡眠を得られるようにしている。
請求項２２の発明は、前記寝具類は、枕または敷布団、クッション若しくは座布団であり、多様な寝具類への適用を実現可能にしている。
【発明の効果】
【００２１】
請求項１の発明は、弾性袋体の内部を互いに連通可能な二つの中空室に区画し、該二つの中空室に流体またはゲルを移動可能に調量して注入し、前記一方の中空室を単一の室に形成し、他方の中空室を互いに連通可能な一または複数の室に区画し、前記二つの中空室上に使用者の異なる部位を接触し、かつこれらの中空室を押圧可能に設け、前記一方の中空室の押圧を介し内部の流体またはゲルを他方の中空室に移動し、該他方の中空室の高さを高位置に調整可能にしたから、二つの中空室に流体またはゲルが速やかに移動し得る程度に注入し、一方の中空室を使用者が押圧した際、内部の流体またはゲルを他方の中空室に移動し、該他方の中空室の高さを高位置に調整可能にし、従来のものに比べて構成が簡単で小形軽量化を図れ、容易かつ安価に製作できるとともに、流体またはゲルを他方の中空室に緩やかに移動し、載置パッド上の使用者の部位の高さを緩やかに調整することができる。
【００２２】
請求項２の発明は、弾性袋体を載置パッドの直下に重合して配置し、前記一方の中空室を前記載置パッドから突出して配置し、該突出した中空室の一部に使用者の部位を接触し、かつ該中空室を押圧可能に設け、前記一方の中空室内部の流体またはゲルを他方の中空室に移動可能に設けたから、一方の中空室を前記載置パッドから突出して配置することによって、使用者の肩部等の特定部位の接触を促し、前記中空室ないし使用者の部位の高さ調整を容易に行なうことができる。
請求項３の発明は、流体またはゲルを二つの中空室の拡張時容積の２０〜８０％に注入したから、中空室の押圧時に内部の流体またはゲルの確実かつ速やかな移動を促すことができる。
請求項４の発明は、前記他方の中空室の一側を側方へ突出し、該突出部上に使用者の部位を載置可能にしたから、例えば仰向け寝時に前記突出部上に使用者の頭部の一部を載置し、仰向け寝から横向け寝に寝返りする際、頭部を円滑に移動し、寝返り時の負担を軽減することができる。
【００２３】
請求項５の発明は、二つの弾性袋体を離間して配置し、それらの他方の中空室上に亘って載置パッドを重合配置し、かつそれらの一方の中空室を前記載置パッドから突出して配置したから、二つの弾性袋体を離間して配置することによって、使用者による二つの中空室の押圧とその内部の流体またはゲルの移動に対応させ、使用者の種々の寝姿勢に対応させることができる。  
請求項６の発明は、二つの弾性袋体の間の載置パッド上に使用者の頭部を載置し、前記一方の中空室の突出部の直上に使用者の肩部を載置可能にしたから、二つの弾性袋体上での使用者の寝姿勢に対応させることができる。
請求項７の発明は、二つの弾性袋体を離間して配置し、これらの弾性袋体をシート状のシ−ル部で一体的に接続したから、二つの弾性袋体をシ−ル部によって一体的に接続し、弾性袋体を分離構成したものに比べて部品点数を低減し、これを簡便に使用することができる。
請求項８の発明は、二つの弾性袋体を離間して配置し、これらの間に流体またはゲルを注入可能な中空室を配置し、該中空室を介し前記二つの弾性袋体を一体的に接続したから、二つの弾性袋体を中間位置の中空室によって一体的に接続し、弾性袋体を分離構成したものに比べて部品点数を低減し、これを簡便に使用し得るとともに、前記中空室に載置パッドの機能を付与し、または載置パッドの機能を補完させることができる。
【００２４】
請求項９の発明は、複数の弾性袋体を積層して構成し、各層の弾性袋体内の流体またはゲルを二つの中空室に相互に移動可能にしたから、一方の中空室を押圧することによって、他方の中空室の変位を増倍して形成でき、僅かな押圧変位を合理的に拡大し、載置パッドの高さ調整を合理的に行なうことができる。
請求項１０の発明は、一または複数の弾性袋体を収納可能な一または複数のポケットを有するカバーを設け、該カバーの内部に前記載置パッドを収納可能に設け、該載置パッドと前記弾性袋体の一部を重合して配置したから、カバーの内部に載置パッドと弾性袋体を合理的に配置し、それらの高さ位置を合理的に形成することができる。
請求項１１の発明は、カバーの内部に前記載置パッドを収納するとともに、前記カバーに設けた複数のポケットに弾性袋体を収納し、該弾性袋体の一部を前記載置パッドの直下に重合して配置し、該載置パッドから突出した弾性袋体の端部を前記カバーの内部に配置したから、弾性袋体の端部を保護することができる。
請求項１２の発明は、前記寝具類は、枕または敷布団、クッション若しくは座布団であるから、多様な寝具類に適用することができる。
【００２５】
請求項１３の発明は、弾性袋体の内部を互いに連通可能な二つの中空室に区画し、該二つの中空室に流体またはゲルを移動可能に調量して注入し、前記一方の中空室を単一の室に形成し、他方の中空室を互いに連通可能な一または複数の室に区画し、前記二つの中空室上に使用者の異なる部位を接触し、かつこれらの中空室を押圧可能に設け、前記一方の中空室の押圧を介し内部の流体またはゲルを他方の中空室に移動し、該他方の中空室の高さを高位置に調整可能に設け、前記弾性袋体の一または複数をカバ−の内部に配置し、二つの中空室に流体またはゲルが速やかに移動し得る程度に注入し、一方の中空室を使用者が押圧した際、内部の流体またはゲルを他方の中空室に移動し、該他方の中空室の高さを高位置に調整可能にしたから、従来のように逆止弁や弁およびそれらの制御機構を要するものに比べて、構成が簡単で小形軽量化を図れ、容易かつ安価に製作できるとともに、使用者の部位を載置する載置パッドの高さを寝姿勢に応じて最適かつ自然に、しかも緩やかに調整できすることができる。
【００２６】
請求項１４の発明は、弾性袋体の直上に載置パッドを重合して配置し、前記一方の中空室を前記載置パッドから突出して配置し、該突出した中空室の一部に使用者の部位を接触し、かつ該中空室を押圧可能に設け、前記一方の中空室内部の流体またはゲルを他方の中空室に移動可能に設けたから、一方の中空室を前記載置パッドから突出して配置することによって、使用者の肩部等の特定部位の接触を促し、前記中空室の高さ調整を容易に行なえ、載置パッドの高さを寝姿勢に応じて最適かつ自然に調整でき、快適な睡眠を得られる効果がある。
請求項１５の発明は、流体またはゲルを前記二つの中空室の拡張時容積の２０〜８０％に注入したから、中空室の押圧時における内部の流体またはゲルの確実かつ速やかな移動を促し、載置パッドの高さ調整を能率良く行なうことができる。
【００２７】
請求項１６の発明は、二つの弾性袋体を離間して配置し、それらの他方の中空室上に亘って載置パッドを重合配置し、かつそれらの一方の中空室を前記載置パッドから突出して配置したから、二つの弾性袋体を離間して配置することによって、使用者による二つの中空室の押圧とその内部の流体またはゲルの移動に対応させ、二つの弾性袋体上での使用者の寝姿勢に対応させることができる。
請求項１７の発明は、二つの弾性袋体の間の載置パッド上に使用者の頭部を載置し、前記一方の中空室の突出部の直上に使用者の肩部を載置可能にしたから、二つの弾性袋体上での使用者の寝姿勢に対応させることができる。
【００２８】
請求項１８の発明は、カバ−に一または複数の弾性袋体を収納可能な一または複数のポケットを設けるとともに、前記カバ−の内部に載置パッドを収納可能に設け、該載置パッドと前記弾性袋体の一部を重合して配置したから、前記カバ−の内部に弾性袋体と載置パッドを収納し、これらを一体的に組み込んで簡便に使用できるから、例えば枕カバ−と枕の使用に好適な効果がある。
請求項１９の発明は、カバ−上に一または複数の弾性袋体に亘って載置パッドを配置したから、弾性袋体の上下位置変位に載置パッドを同動させ、載置パッド上の使用者の特定部位の高さを調整し得るから、例えば敷布団の使用に好適な効果がある。
【００２９】
請求項２０の発明は、前記カバ−の内部に、載置パッドから突出した弾性袋体の端部を配置したから、弾性袋体の端部を保護することができる。
請求項２１の発明は、横向き寝姿勢時の載置パッドの高さを、仰向け寝姿勢時の載置パッドの高さよりも高く調整可能にしたから、横向き寝姿勢時に頭部側を載置パッドで支持するようにして肩部の負担を軽減し、肩部の圧迫を回避して快適な睡眠を得られる効果がある。
請求項２２の発明は、前記寝具類は、枕または敷布団、クッション若しくは座布団であるから、多様な寝具類への適用を実現することができる。
【図面の簡単な説明】
【００３０】
【図１】本発明を枕の高さ調整に適用した状況を示す正面図である。
【図２】図１に示す枕の底面図である。
【図３】本発明を適用した枕を分解して示す斜視図で、裏面側から見た状況を示している。
【図４】本発明を適用した弾性袋体を示す正面図である。
【図５】図１のＡ−Ａ線に沿う断面図で、若干拡大図示している。
【００３１】
【図６】図１のＢ−Ｂ線に沿う断面図で、若干拡大図示している。
【図７】図１のＣ−Ｃ線に沿う断面図で、若干拡大図示している。
【図８】図４のＤ−Ｄ線に沿う断面図である。
【図９】本発明を適用した枕の使用状態を示す正面図で、仰向け寝姿勢の状況を示している。
【図１０】図９のＥ−Ｅ線に沿う断面図である。
【００３２】
【図１１】図９のＦ−Ｆ線に沿う断面図である。
【図１２】図９のＧ−Ｇ線に沿う断面図である。
【図１３】本発明を適用した枕の使用状態を示す正面図で、仰向け寝から寝返りした横向き寝姿勢の状況を示している。
【図１４】図１３のＨ−Ｈ線に沿う断面図である
【００３３】
【図１５】本発明を適用した弾性袋体の第２の実施形態を示す正面図である。
【図１６】本発明を適用した弾性袋体の第３の実施形態を示す正面図である。
【図１７】本発明を適用した弾性袋体の第４の実施形態を示す正面図である。
【図１８】本発明に適用した弾性袋体の第５の実施形態を示す正面図である。
【図１９】本発明に適用した弾性袋体の第６の実施形態を示す断面図で、他方の中空室の積層構造を示し、このうち同図（ａ），（ｂ）は二層構造のものを示し、同図（ｃ）は三層構造のものを示している。
【００３４】
【図２０】本発明を適用した弾性袋体の第７の実施形態を示す正面図である。
【図２１】本発明を適用した弾性袋体の第８の実施形態を示す正面図である。
【図２２】本発明を適用した弾性袋体の第９の実施形態を示す正面図である。
【図２３】本発明を適用した弾性袋体の第１０の実施形態を示す正面図である。
【図２４】図２３のＩ−Ｉ線に沿う断面図である。
【００３５】
【図２５】本発明を枕に適用した寝具類の第２の実施形態を示す正面図である。
【図２６】本発明を枕に適用した寝具類の第３の実施形態を示す正面図である。
【図２７】本発明を敷布団に適用した寝具類の第４の実施形態を示す正面図である。
【図２８】図２７のＪ−Ｊ線に沿う断面図である。
【図２９】本発明を敷布団に適用した寝具類の第５の実施形態を示す正面図である。
【発明を実施するための最良の形態】
【００３６】
以下、本発明を寝具である枕の高さ調整に適用した図示の実施形態について説明すると、図１乃至図１４において１は平面略逆Ｕ字形状の枕で、その上下側面２，２ａ、通常は上側面２に、使用者Ｐの頭部３を載置可能な頭載せ部４が設けられている。
前記頭載せ部４の一側に凹状に湾曲した切欠部５が形成され、該切欠部５の両側に舌片状の肩当て部６，６が突設されている。
【００３７】
前記肩当て部６，６は、使用者Ｐが仰向け寝の際、両肩部７，７を載置可能な幅員と間隔に形成され、その横向き寝の際は下側の肩部７をやや内側にして、該肩部７を一方の肩当て部６に載置可能にしている。
前記頭載せ部４は、頭部３の載置前は中央部が若干凹状に形成され、仰向け寝時には前記中央部に頭部３が載置されて更に凹状に押圧され、その両側が後述の弾性袋体の拡張によって若干押し上げられ、結果的に前記中央部が頭部３の載置前よりも深い凹状に形成されている。
【００３８】
一方、仰向け寝から寝返り後の横向き寝時は、頭載せ部４の片側に頭部３が横向きに載置され、かつその際、片側の肩部７が片側の肩当て部６に位置して、直下の弾性袋体の端部を押圧し、該弾性袋体の他側部を拡張して、後述の枕本体を介し頭載せ部４を仰向け寝時よりも高位置に押し上げ可能にしている。
【００３９】
前記枕１は図３のように、平面略逆Ｕ字形状の袋状のカバ−である枕カバ−８と、該枕カバ−８の内部に出し入れ可能に収納し、使用者の特定部位を載置可能な載置パッドである枕本体９と、枕カバ−８の両側内部に出し入れ可能に収納した、寝具の高さ調整具である弾性袋体１０，１０とで構成されている。
このうち、枕カバ−８は、綿またはポリエステル等の生地を逢着して平面略逆Ｕ字形の袋状に形成され、その裏面の上部に開口部１１が横方向に設けられている。
前記開口部１１の開口縁部にスライドファスナ−１２が開閉可能に設けられ、前記開口部１１から枕本体９を出し入れ可能にしている。
【００４０】
前記枕本体９は、綿またはポリエステル等の生地を逢着して枕カバ−８と略同形の袋状に形成され、その中間部に逢着部１３，１３が縦方向に設けられ、該逢着部１３，１３を介して枕本体９内を三室に区画し、その各室に柔軟な合成樹脂のパイプやビ−ズ、綿、フェザ−、等の通気性と流動性に優れる詰物１４が充填されている。
図中、１５は枕本体９の中央の区画室の中間部に設けた逢着部で、内部の詰物１４の横方向への移動を防止し、安定した頭部３の載置状態を確保させており、１６，１６は枕本体９の一側の両側に僅かに突出した張出部である。
【００４１】
前記枕カバ−８の裏面の中央部に、一対の逢着部１７が縦方向に離間して設けられ、該逢着部１７，１７を介して枕カバ−８の裏面の両側に、平面略逆Ｌ字形状のポケット１８，１８が設けられている。
前記ポケット１８，１８の外側に開口部１９，１９が縦方向に設けられ、該開口縁部にスライドファスナ−２０が開閉可能に設けられ、前記開口部１９，１９から前記弾性袋体１０，１０を出し入れ可能にしている。
【００４２】
前記弾性袋体１０，１０は、塩化ビニル等の２枚の合成樹脂シ−トを重合し、その周縁を溶着して略木の葉形状または鱗形状の扁平な袋状に形成され、その内部に空気、高分子系ポリマ−からなるジェル、水、等の流体若しくはゲル、実施形態では空気を使用者Ｐの枕の高さの好みに応じて注入可能にしている。
実施形態では、前記空気を弾性袋体１０の全内容積の２０〜８０％に注入し、中空室２２，２３の容積変動を確実かつ速やかに形成可能にしており、可及的には前記内容積の４０〜６０％が望ましい。
【００４３】
前記弾性袋体１０の中空室２３側の一側、実施形態では内側に突出部１０ａを設け、該突出部１０ａ上に使用者Ｐの頭部３を一部を載置可能にしている。
すなわち、仰向け寝時には突出部１０ａ上に頭部３の一部を載置し、仰向け寝から横向け寝へ寝返りする際、頭部３を円滑に移動し、寝返りの労力を軽減するようにしている。
また、前記弾性袋体１０の中間部に、前記シ−トを溶着した横長矩形のシール部２１が設けられ、該シール部２１を介して弾性袋体１０内を二つの中空室２２，２３に区画し、これらを流路断面積が小さな小通路２４を介して連通し、弾性袋体１０内に注入した空気を中空室２２，２３相互に移動可能にしている。
【００４４】
前記弾性袋体１０，１０の大部分は枕本体９の下側に重合して配置され、空気の移動によって拡張し、直上の枕本体９を押し上げ可能にしており、その一端部側の中空室２２を枕本体９から突出して配置し、かつこの中空室２２を肩当て部６内に配置し、肩部７による押圧を可能にして内部の空気を押し出し可能にしている。
前記中空室２２の内部は単一の室に形成され、肩部７による押圧力を一様かつ速やかに作用可能にしている。
【００４５】
一方、前記他方の中空室２３は、前述のように枕本体９の下側に重合して配置され、その内部が複数の仕切壁２５〜２７によって複数の縦長の室に区画されている。
前記仕切壁２５〜２７の一端部は切り欠かれ、該切欠部２５ａ〜２７ａによって各室が連通可能にされている。
前記中空室２３の一側に空気を注入可能な短小なチュ−ブ（図示略）が埋設され、該チュ−ブの開口部に止栓２８を装着して閉塞し、充填した空気の漏洩を防止可能にしている
【００４６】
この他、図中、２９は使用者Ｐが横臥する敷布団またはマットレス、３０は使用者Ｐの頸部、３１は枕本体９から突出した弾性袋体１０の突出部と、枕カバ−８との間に形成された空隙部である。
【００４７】
このように構成した寝具類である枕の高さ調整に適用した、高さ調整具である弾性袋体１０は、塩化ビニル等の２枚の合成樹脂シ−トを重合し、その周縁を溶着して略鱗形状に形成した扁平な袋状に形成し、この一方の肩当て部６側に配置する中空室２２を単一の室に形成する。
また、枕本体９に重合して配置する他方の中空室２３を、小通路２４を介して中空室２２に連通し、該中空室２３を複数の仕切壁２５〜２７を介して縦長の４室に区画し、この各室を切欠部２５ａ〜２７ａによって連通可能にする。
【００４８】
そして、前記中空室２３の一側で、頭部３との接触を回避可能な位置に空気を注入可能な短小なチュ−ブ（図示略）を埋設し、該チュ−ブの開口部に止栓２８を装着し、内部の充填流体若しくはゲルの漏洩を防止する。
したがって、従来の袋体のように空気を給排するチュ−ブや開閉弁または逆止弁、およびその弁制御機構を要することがなく、構成が簡単で安価に製作できる。
【００４９】
前記弾性袋体１０の使用に際しては止栓２８を取り外し、埋設したチュ−ブに空気、高分子系ポリマ−からなるジェル、水、等の流体若しくはゲル、実施形態では空気を注入し、その注入量は使用者Ｐの枕の高さの好みに応じて調整する。
また、実施形態では弾性袋体１０の全内容積の２０〜８０％、可及的には４０〜６０％に空気を注入し、睡眠時における使用者Ｐの部位による押圧によって、中空室２２，２３の容積変動を確実かつ緩やかに形成可能にしている。
【００５０】
そして、弾性袋体１０に所定量の空気を注入し、チュ−ブに止栓２８を装着後、これを枕カバ−８の開口部１９からポケット８内に収納すれば使用可能になり、弾性袋体１０はポケット８内で移動を拘束される。
この場合、前記弾性袋体１０は比較的少量の空気を充填し、扁平でコンパクトかつ柔軟性を有するから、ポケット８に容易かつ速やかに収納でき、収納後はポケット８内で左右の移動を拘束されるとともに、厚さ方向に裕度を持って収納され、緊張時の容積変化に速やかに対応し得る。
【００５１】
一方、前記枕１は、枕カバ−８と枕本体９と二つの弾性袋体１０とからなり、枕本体９と弾性袋体１０とを枕カバ−８に収納して使用する。
前記枕カバ−８は、綿またはポリエステル等の生地を逢着して平面略逆Ｕ字形の袋状に形成し、その裏面の上部横方向に枕本体９を収納する開口部１１を設け、該枕本体９の収納スペ−スの裏面側に仕切片（図示略）を介して、平面略逆Ｌ字形状のポケット１８，１８を離間して両側に設ける。
【００５２】
前記枕本体９は、ポリエステル、綿等の生地を逢着して枕カバ−８と略同形の袋状に形成し、その内部を逢着部１３，１３を介して三室に区画し、その各室に柔軟な合成樹脂のパイプやビ−ズ、綿、フェザ−、等の詰物１４を充填する。
このように枕カバ−８と枕本体９は、構成が簡単で複雑な加工を要しないから、これを容易かつ安価に製作できる。
【００５３】
この後、前記製作した枕本体９を枕カバ−８の開口部１１からポケット１８に収納し、開口部１１を閉塞するとともに、適量の空気を注入した弾性袋体１０，１０を枕カバ−８の開口部１９，１９からポケット１８，１８に収納し、各開口部１９，１９を閉塞する。
【００５４】
この状況は図３のようで、枕本体９は枕カバ−８内部の略全域に配置され、弾性袋体１０，１０はポケット１８，１８内に配置され、かつ弾性袋体１０，１０の過半部が枕本体９の直下に重合して配置され、その一部が枕本体９から突出して肩当て部６，６内に配置され、それらの段差部と枕カバ−８との間に空隙部３１が形成される。
【００５５】
このように枕カバ−８の内部に枕本体９と弾性袋体１０，１０とを収納して枕１を一体的に構成するから、これらを別々に配置するものに比べて構成が簡潔で、取扱いが至便になる。
こうして組立てた枕１を使用する場合は、例えば敷布団２９またはマットレス上の一側端部に弾性袋体１０，１０を下向きにして、前記枕１を設置する。
【００５６】
この状況は図５乃至図７のようで、枕１の両側に弾性袋体１０，１０が離間して位置し、その突出部１０ａ，１０ａが内側に近接して配置され、該弾性袋体１０，１０上に枕本体９が重合して配置され、枕１の中間部は弾性袋体１０が存在しない分、下方に沈み込んで凹状に形成される。
【００５７】
この場合、弾性袋体１０，１０は前述のように空気の充填量を減量して充填され、その膨出高さを抑えられ、また頭部３の載置前は弾性袋体１０が平常時の収縮状態に置かれているから、枕１の両側と中間部の高さの差は図５のように然程大きくない。
また、枕１の両側の肩当て部６，６側は、図１のように枕本体９が存在しないから、弾性袋体１０と枕本体９の端部に段差が形成され、この上部の枕カバ−８との間に空隙部３１が形成される。
【００５８】
このような状況の下で使用者Ｐが仰向け寝の姿勢で敷布団２９上に横臥し、頭部３を枕１の中間部に載せて使用すると、図９乃至図１２のように中央の枕本体９が頭部３に押圧されて凹状に変形し、かつ使用者Ｐの頭部３の一部が突出部１０ａ，１０ａ上に載置され、また使用者Ｐの肩部７，７が弾性袋体１０，１０の端部上に位置し、当該部の枕本体９，９ないし弾性袋体１０，１０の一部を押圧する。
【００５９】
この場合、肩部７，７ないし上半身による押圧力は、両側の枕本体９，９と弾性袋体１０，１０の一部で支持され、これらに分散されて作用するから、枕本体９，９ないし弾性袋体１０，１０の押圧変位は僅少であり、その際の弾性袋体１０，１０内の中空室２２から中空室２３への空気の移動は少なく、中空室２３の拡張変位が抑制される。
したがって、枕本体９，９の押し上げ量は僅少であり、この変位は弾性袋体１０が存在しない中央の枕本体９に影響しないから、該中央の枕本体９上の頭部３の高さｈは、図１０のように低位置に維持される。
【００６０】
このような状況から使用者Ｐが片側の肩部７を若干内側にして寝返りし、横向き寝の姿勢に移行すると、図１３のように一方の肩部７が片側の枕本体９と弾性袋体１０から離れ、他方の肩部７、つまり下側の肩部７が、他方の肩当て部６直下の弾性袋体１０上に位置し、該弾性袋体１０の中空室２２を押圧する。
【００６１】
この場合、仰向け寝時は前述のように、頭部３の一部が突出部１０ａに載置され、また枕１の中央部と両側の高さの差が小さく、しかも支点となる肩部７は空隙部３１を押圧して肩当て部６上を移動するから、その移動高さが僅少で寝返りに要する労力が軽減され、寝返り時の頸部３０の負担を軽減する。
【００６２】
こうして寝返りすると、下側の肩部７が肩当て部６直下の片側の弾性袋体１０を押圧する。
このため、前記弾性袋体１０の端部の中空室２２が押圧され、該中空室２２内の空気が押し出されて小通路２４側へ移動し、仕切壁２５〜２７の各切欠部２５ａ〜２７ａを経て蛇行しながら各室に順次移動し、各室を順次拡張して直上の枕本体９を押し上げる。
【００６３】
その際、前記空気は小通路２４で移動量を規制され、その後は中空室２３内を一側の室から他側の室へ順次蛇行して移動し、各室を横方向に順に拡張して枕本体９を押し上げる
したがって、枕本体９上の頭部３がゆっくりかつ緩やかに上昇し、空気の急激な移動による頭部３の急上昇と、その際の不快感、並びに頸部３１の衝撃を防止する。
【００６４】
この状況は図１４のようで、横向き寝姿勢の枕１の高さＨは、仰向け寝姿勢の枕の高さｈよりも自動的に高く調整され、頭部３の高さが仰向け寝姿勢時よりも高く調整されるから、頭部３側の重量が枕本体９で支持され、その分、下側の肩部７に対する負荷が軽減されて、該肩部７の圧迫を軽減される。
しかも、この高さ調整には従来のように逆止弁や開閉弁の作用を経ることなく円滑かつ速やかに行なわれるから、頸部３１が略水平に保持されて快適な睡眠を得られる。
【００６５】
このような寝姿勢から使用者Ｐが下側の肩部７を支点に再度寝返りし、横向き寝の姿勢から仰向け寝の姿勢に移行すると、頭部３が弾性袋体１０，１０の中央部の枕本体９上に移動し、該枕本体９を押圧して凹状に変形する。
そして、両方の肩部７，７が両側の枕本体９ないし弾性袋体１０の端部上に移動し、これらに使用者Ｐの上半身の重量が分散して作用し、前述の片側の肩部７による枕本体９ないし弾性袋体１０の端部に対する集中的な押圧力の作用を解除する。
【００６６】
このため、片側の弾性袋体１０の中空室２３内の空気が小通路２４を経て中空室２２へ移動し、該中空室２３の各室が一側から他側方向へ、ゆっくりかつ緩やかに拡張を解除して収縮し、図１０乃至図１２の原状を回復する。
この場合、下側の肩部７は空隙部３１を押圧しながら、押圧した弾性袋体１０の一端部を移動し、その移動時の高低差は僅少であるから、寝返りに要する労力が軽減され、寝返り時の頸部３０の負担を軽減する。
【００６７】
図１５乃至図２９は本発明の他の実施形態を示し、前述の実施形態と対応する構成部分に同一の符号を用いている。
このうち、図１５は高さ調整具である弾性袋体１０の第２の実施形態を示し、この実施形態は弾性袋体１０の一方の中空室２３に複数の仕切壁２５〜２７を横方向に形成し、その一端に切欠部２５ａ〜２７ａを設け、各室を連通するとともに、横向きに寝返りした際、中空室２２を肩部７で押圧し、内部の空気を下方から順次上方へ移動して拡張し、頭部３を緩やかに押し上げ変位させるようにしている。
【００６８】
図１６は弾性袋体１０の第３の実施形態を示し、この実施形態は二つの弾性袋体１０の中空室２３に複数の仕切壁２５〜２７，３２〜３４を縦横に形成し、多数の室を区画するとともに、仕切壁２５〜２７に切欠部２５ａ〜２７ａを形成し、仕切壁３２〜３４に複数の切欠部３２ａ〜３４ａを形成し、横向きに寝返りした際、中空室２２を肩部７で押圧し、内部の空気を下方から順次上方へ移動して拡張し、頭部３を精密かつ緩やかに押し上げ変位させるとともに、前記仕切壁２５〜２７，３２〜３４を介して、中空室２３ないし弾性袋体１０の強度を強化している。
【００６９】
図１７は弾性袋体１０の第４の実施形態を示し、この実施形態は二つの弾性袋体１０の中空室２３に単一の仕切壁２５を渦巻き状に形成し、中空室２２および小通路２４に連通する通路３５を渦巻き状に形成し、横向きに寝返りした際、中空室２２を肩部７で押圧し、内部の空気を中空室２３の中心部へ順次移動し、頭部３を精密かつ緩やかに押し上げ変位させるようにしている。
【００７０】
図１８は弾性袋体１０の第５の実施形態を示し、この実施形態は中空室２２，２３に連通する複数の小通路３６をシール部２１に設け、横向きに寝返りした際、中空室２２を肩部７で押圧し、内部の空気を複数の小通路３６を介して中空室２３の各室に移動し、頭部３を速やかに押し上げ変位させるようにしている。
【００７１】
図１９は弾性袋体１０の第６の実施形態を示し、この実施形態は３枚ないし４枚の合成樹脂製シートを重合し、その周縁部を溶着して、単一室を２層または３層に積層した中空室２２に構成し（図示略）、他方の中空室２３を同様に２層または３層構造に構成し、各層の中空室２２，２３を１または複数の小通路２４，３６を介して連通し、結果的に複数の弾性袋体１０を重合した構成にしている。
したがって、寝返り時における押圧力を各層に均一に作用させ、中空室２３の各層を精密かつ僅かに変位させることによって、使用者Ｐの重量の軽重に係りなく、枕１の高さを容易かつ精密に調整するようにしている。
【００７２】
図２０は弾性袋体１０の第７の実施形態を示し、この実施形態は二つの弾性袋体１０を分離して構成する代わりに、二つの中空室２３，２３をシール部２１を延設したシール部３７によって接続し、一体的かつ左右対称に構成することによって、二つの中空室２３，２３を実質的に維持しながら、部品点数を低減し構成を簡潔化して、容易かつ安価に製作し得るようにしている。
したがって、この場合は枕カバ−８の裏面に単一かつ横長のポケット１８を設け、該ポケット１８の開口部にスライドファスナ−を設けて、一体的に構成した弾性袋体１０を収納するようにしている。
【００７３】
図２１は弾性袋体１０の第８の実施形態を示し、この実施形態は前記第７の実施形態の応用形態で、シール部３７を縮小し、代わりに当該部に仕切壁３８を増設して室を増加し、かつ該室を切欠部３８ａによって他室に連通し、弾性袋体１０全体の面積を維持しながら、個々の中空室２３の面積を拡張し、その作用効果を増進するようにしている。
【００７４】
図２２は弾性袋体１０の第９の実施形態を示し、この実施形態は前記第８の実施形態の応用形態で、左右の中空室２３の中間部に小通路３６を設けて中空室２２に連通し、横向きに寝返りした際、中空室２２内の空気を小通路２４，３６に分流させて中空室２３，２３に移動し、頭部３の押し上げ変位を促進させるようにしている。
【００７５】
図２３および図２４は弾性袋体１０の第１０の実施形態を示し、この実施形態は前記第７の実施形態の別の応用形態で、シール部３７の代わりに中空室３９を設け、該中空室３９の適所にチュ−ブ（図示略）と止栓２８を装着し、該中空室３９に空気を僅かに充填して、弾性袋体１０を３つの中空室２３，２３，３９で構成するとともに、前記中空室３９によって中央部の枕本体９を補完し、または枕本体９を代用可能にしている。
この場合、空気充填後の中空室３９の高さは、同様な両側の中空室２３，２３よりも低く形成する。
【００７６】
図２５乃至図２９は前記弾性袋体１０を備えた寝具類の他の実施形態を示し、このうち図２５は寝具類の第２の実施形態を示している。
この実施形態は、横長矩形の枕カバ−８の裏面に左右一対のポケット１８，１８を設け、該ポケット１８に弾性袋体１０を個別に収納し、その中空室２３，２３の直上に既設または汎用の横長矩形の枕本体９を重合して配置し、中空室２２，２２の一部を枕本体９から突出して配置し、前記肩当て部６を突設しない既設または汎用の枕カバ−８に適用可能にし、構成の簡潔化と容易かつ安価な製作を図るようにしている。
【００７７】
図２６は寝具類の第３の実施形態を示し、この実施形態は図２５の実施形態の応用形態で、横長矩形の枕カバ−８の裏面に横長矩形の単一のポケット１８を設け、該ポケット１８に二つの中空室２３をシ−ル部３７によって接続し、一体的に構成した弾性袋体１０を収納し、該弾性袋体１０の直上に既設または汎用の横長矩形の枕本体９を重合して配置し、かつ中空室２２，２２の一部を枕本体９から突出して配置し、前記肩当て部６を突設しない既設または汎用の枕カバ−８に適用可能にし、構成の簡潔化と容易かつ安価な製作を図るとともに、使用の利便性を向上するようにしている。
【００７８】
図２７および図２８は寝具類の第４の実施形態を示し、この実施形態は枕１の代わりに敷布団２９またはクッションの寝具類に本発明を適用している。
すなわち、この実施形態は敷布団２９の内部、つまり敷布団２９の袋状のカバ−である被覆生地３８の適宜位置に、左右一対のポケット３９，３９を離間して設け、該ポケット３９，３９に、二つの弾性袋体１０，１０を個別に収納する。
このようにすると、前記敷布団２９の一端部側は、中空室２２，２３による二つの緩やかな凸部が離間して連なる凸凹状に形成される。
【００７９】
そこで、前記敷布団２９を使用して就眠する場合は、前記中空室２３，２３の直上に被覆生地３８を介して、既設または汎用の横長矩形の枕１を重合して配置し、該枕１から中空室２２，２２の端部を突出して配置する。換言すれば、弾性袋体１０の直上に枕１を若干上方に位置をずらせて重合配置する。
このように枕１を配置することによって、使用前の枕１は両側が高く中央部が低く形成される。
【００８０】
次に、このような敷布団２９に使用者Ｐが横臥し枕１の凹状の中央部に頭部３を載置すれば、仰向けの寝姿勢が形成される。
この状況は図２８のようで、弾性袋体１０，１０に使用者Ｐの負荷が分散して作用するため、空気の移動は僅少で中空室２３，２３は然程拡張せず、図示のように頭部３が低位置に置かれ、枕１の中央部と両側部との高さの差は僅少である。
【００８１】
一方、仰向けの寝から横向き寝に寝返えると、前述のように使用者Ｐの下側の肩部７が直下の中空室２２を押圧し、内部の空気を中空室２３側へ押し出し、該中空室２３を拡張することによって直上の枕１が押し上げられ、仰向けの寝時よりも枕１の高さが高く調整される。
したがって、この場合は前述のように肩部７の圧迫を免れる。
また、前記仰向けの寝からの寝返り時は、枕１の中央部と両側部との高さの差が僅少であるから、寝返りに要する労力の負担が軽減され、容易かつ自然な寝返りを促す。
【００８２】
図２９は寝具類の第５の実施形態を示し、この実施形態は前記寝具類の第４の実施形態の応用形態で、敷布団２９の被覆生地３８の適宜位置に横長の単一のポケット３９を設け、該ポケット３９に、二つの中空室２３をシ−ル部３７によって接続し、これらを一体的に構成した前記弾性袋体１０を収納する。したがって、二つのポケット３９に弾性袋体１０を個別に収納する前述の場合に比べて、弾性袋体１０と敷布団２９の構成が簡潔になり、これを容易に製作し得る。
こうしてポケット３９に弾性袋体１０を収納すると、敷布団２９の一端部側は、中空室２２，２３による二つの緩やかな凸部が離間して連なる凸凹状に形成され、この後の仰向け寝や寝返り後の横向き寝の状況は前記寝具類の第４の実施形態と同様である。
【００８３】
なお、前記クッションは座布団類の他に、例えば椅子の背当て部または背もたれ部に装着するものにも適用し得る。
【００８４】
また、前述の実施形態では何れも弾性袋体１０をシール部２１を介して二つの中空室２２，２３に区画し、これらを小通路２４によって連通しているが、例えば中空室２２，２３を分離し、つまり二つの弾性袋体１０を設け、これらを小通路２４の代わりに柔軟なチューブで連通させることも可能である。
このようにすれば各弾性袋体１０を適宜位置に移動し、使用者Ｐの所望の部位に位置付けられる。
【産業上の利用可能性】
【００８５】
このように本発明の寝具類の高さ調整具および高さ調整具を備えた寝具類は、構成が簡単で小形軽量化を図れ、容易かつ安価に製作できるとともに、寝姿勢に応じて寝具の高さを最適に調整でき、快適な睡眠を得られるとともに、肩部を圧迫することなく自然な寝返りを行なえるから、枕や敷布団、クッション若しくは座布団、等の寝具類の使用に好適である。
【符号の説明】
【００８６】
１              寝具類（枕）
３              部位（頭部）
７              部位（肩部）
８              カバ−（枕カバ−）
９              載置パッド（枕本体）
【００８７】
１０            高さ調整具（弾性袋体）
１０ａ          突出部
１８，３９      ポケット
２１，３７      シール部
２２            中空室
２３            中空室
【００８８】
２４            小通路
２９            寝具類（敷布団）
３４            仕切壁
３８            カバ−（被覆カバ−）
【００８９】
ｈ              枕の高さ（仰向き寝姿勢時）
Ｈ              枕の高さ（横向き寝姿勢時）
Ｐ              使用者
【図１】
0005291776.tif 000002
【図２】
0005291776.tif 000003
【図３】
0005291776.tif 000004
【図４】
0005291776.tif 000005
【図５】
0005291776.tif 000006
【図６】
0005291776.tif 000007
【図７】
0005291776.tif 000008
【図８】
0005291776.tif 000009
【図９】
0005291776.tif 000010
【図１０】
0005291776.tif 000011
【図１１】
0005291776.tif 000012
【図１２】
0005291776.tif 000013
【図１３】
0005291776.tif 000014
【図１４】
0005291776.tif 000015
【図１５】
0005291776.tif 000016
【図１６】
0005291776.tif 000017
【図１７】
0005291776.tif 000018
【図１８】
0005291776.tif 000019
【図１９】
0005291776.tif 000020
【図２０】
0005291776.tif 000021
【図２１】
0005291776.tif 000022
【図２２】
0005291776.tif 000023
【図２３】
0005291776.tif 000024
【図２４】
0005291776.tif 000025
【図２５】
0005291776.tif 000026
【図２６】
0005291776.tif 000027
【図２７】
0005291776.tif 000028
【図２８】
0005291776.tif 000029
【図２９】
0005291776.tif 000030